(57)【特許請求の範囲】
【請求項１】
書類が搬送する搬送経路と、前記書類が前記搬送経路を通る途中に前記書類の重送を検知する重送検知手段を有する書類自動発行機において、
前記搬送経路が湾曲している箇所に前記重送検知手段が配置され、
前記搬送経路に沿って間隔をおいて配置される複数の搬送手段を有し、
前記搬送経路の湾曲部分が前記隣接した搬送手段間の搬送面を結ぶ直線から突出するように構成され、
前記重送検知手段が、前記搬送経路の湾曲部分の突出側に配置されていることを特徴とする書類自動発行機。
【発明の詳細な説明】
【０００１】
【発明の属する技術分野】
本発明は、例えば自治体等に設置された各種書類を自動的に発行できる書類自動発行機に関するものである。
【０００２】
【従来の技術】
従来、証明書自動交付機等の書類自動発行機内部に設置されている印刷装置から書類が発行されるときに、用紙が複数枚重なって送られることがあった。これを重送というが、この重送の検出は、いわゆる反射形のセンサのように、例えば印刷装置から排出された書類に発光手段から赤外線を照射し、該書類に反射して戻ってきた該赤外線を発光手段と同方向に配置された受光手段が検出し、該センサと用紙間の距離を測定することによって重送か否かの判断を行っていた。即ち、重送が起こっていれば測定距離が通常よりも短いので、測定距離がある一定の値以下になるならば、重送と判断していた。
【０００３】
【発明が解決しようとする課題】
しかしながら、従来の装置では、前述の装置内の重送検出部分を通過する用紙が、用紙自体の振動やそり等により、該測定距離を誤判定してしまう可能性がある。即ち、実際には用紙が重送されていないにも関わらず、検出部分を通る用紙とセンサとの距離がたまたま変動することによって、該用紙が重送されていないにも関わらず、重送されていると誤判断することになる。すると、重送されていない印字済みの用紙が外部に排出されず、書類自動発行機内部の重送用紙収納部に収められてしまう。そして、再び同様の書類を印字させるので、用紙が無駄になってしまう。
【０００４】本発明は、上述した問題点を解決するためになされたものであり、正確に重送を検出することのできる書類自動発行機を提供することを目的とする。
【０００５】
【課題を解決するための手段】
この目的を達成するために、請求項１に記載の書類自動発行機は、書類が搬送する搬送経路と、前記書類が前記搬送経路を通る途中に前記書類の重送を検知する重送検知手段を有する書類自動発行機であって、前記搬送経路が湾曲している箇所に前記重送検知手段が配置され、前記搬送経路に沿って間隔をおいて配置される複数の搬送手段を有し、前記搬送経路の湾曲部分が前記隣接した搬送手段間の搬送面を結ぶ直線から突出するように構成され、前記重送検知手段が、前記搬送経路の湾曲部分の突出側に配置されていることを特徴とする。ゆえに、重送検知手段が搬送経路の湾曲部分を通る用紙に赤外線等を照射し、用紙から反射されてきた該赤外線等を検出し、用紙と重送検知手段との距離を測定することによって、重送の有無を判断することができる。この場合、前述したように、用紙が湾曲部分の底面を接触しながら通過するので、距離の測定の誤判断に基づく重送の誤判断を防止することができる。
【０００６】
【０００７】
【０００８】
【発明の実施の形態】
以下、本発明の書類自動発行機を住民票、印鑑登録証明書等を発行する証明書自動発行機へ適用して具体化した一実施例を図面を参照して説明する。まず、図１を参照して本実施例の証明書自動発行機の外観構成を説明する。
【０００９】
証明書自動発行機１の筐体１ａの前面パネルには、図示はしないが、利用者個々が持つ暗証番号を含むユーザＩＤ識別コード等の種々の情報が記録されている磁気テープ（磁気カードの場合）若しくはＩＣチップ（ＩＣカードの場合）を備えたＩＤカードを挿入するためのカード挿入口２ａが設けられており、このカード挿入口２ａの奥にはカードリーダ２（図４参照）が設けられている。
【００１０】
そのカード挿入口２ａの側方には、例えば用紙切れ等のように証明書自動発行機１にトラブルが発生した際に、当該トラブルを解決する保守担当員を呼び出すための呼び出しボタン２２が設けられている。その呼び出しボタン２２の上方には、例えば操作方法や案内等の表示される表示手段としてのＣＲＴ表示装置３が設けられており、そのＣＲＴ表示装置３の上面には、表示されている部分に直接触れることによって利用者が所望の情報を入力することのできる入力手段としてのタッチパネル４が設けられている。
【００１１】
そのタッチパネル４の側方には、手数料を支払うためのコイン投入口５ａ及び紙幣挿入口６ａが形成されており、これらはそれぞれコインメック５及びビルバリ６（いずれも図４参照）と連通している。これらのコイン投入口５ａ及び紙幣挿入口６ａの下方には、釣り銭及びレシートを取り出すための取り出し口８が設けられている。また、取り出し口８の側方には、後述するレーザプリンタ１１（図２参照）にて印刷された住民票等の証明書を排出する証明書排出口７が構成されている。
【００１２】
上述した呼び出しボタン２２の下方には、車椅子を利用している人がこの証明書自動発行機１を利用する際、容易に操作できるように配慮したアシストバー４２が設けられている。
【００１３】
更に、このアシストバー４２の下方で筐体１ａの一部には、車椅子の利用者が利用しやすくなるように、車椅子に乗車している人の膝から下が納まる程度の大きさの掘り込み４３が形成されており、その掘り込み４３の内側面には車椅子の一部が衝突した場合にショックを吸収するためのショック吸収シート４４が設けられている。また、この証明書自動発行機１の高さは、車椅子の利用者でも楽に利用できるように、例えば１３０ｃｍになるように構成されている。
【００１４】
また、上述したタッチパネルの上方には、この証明書自動発行機１が使用可能状態であるか使用不能状態にあるかを表示する操作表示器１０が設けられている。
【００１５】
次に、本実施例における証明書自動発行機１の用紙送り経路に関する内部構成について、図２を参照して説明する。
【００１６】
図２は証明書自動発行機１の用紙送り経路に関する内部構成を示す概略断面図である。レーザプリンタ１１が証明書自動発行機１内の下部に設置されており、その上部には、該レーザプリンタ１１によって印刷された用紙を排出するための上部排出口１１ａが形成されている。更に、該上部排出口１１ａから排出された用紙を通過させるために、レーザプリンタ１１の上面に沿って用紙ガイド５４が形成されている。
【００１７】
続いて、該用紙ガイド５４から送り出された用紙を搬送するための搬送ユニット５１の構成について説明する。レーザプリンタ１１の上面に沿って、搬送経路としての搬送路５５が凸型に湾曲された状態で形成されており、該搬送路５５の上下部分に、用紙ガイド５４から送り出された用紙を搬送するための搬送手段としての送りローラ５５ａ及び５５ｂが複数個取り付けられている。搬送路５５の凸部の頂点には、本発明における重送検知手段としての重送センサ９０が取り付けられている。また、搬送路５５の途中には、用紙が重送された場合に該重送用紙の通過経路を切り替える分離シュート６０が形成されている。そして、重送された用紙を通過させるための重送路６１が搬送路５５と接続された状態で、分離シュート６０からＵ字型に形成されている。
【００１８】
搬送路５５の上方には、該搬送路５５を通過した用紙の幅を揃えるための中間トレイ５６が形成されている。そして、該中間トレイ５６の一端には、該中間トレイ５６上に載せられた用紙の後端を押し出すためのツメ５７ａが押し出しガイド５７に固定されて配置されている。また、ツメ５７ａに隣設して支軸５６ｃが設けられていて、用紙が中間トレイ５６上に複数枚載せられた場合に、中間トレイ５６を点線で示す上位位置に回動させるための支点としての働きをする。
【００１９】
該中間トレイ５６の他端には、該中間トレイ５６上の用紙を用紙排出部７１へ送り出すための送り出しローラ５８ａ、５８ｂが設置されている。また、中間トレイ５６沿いには、複数枚の用紙の幅揃えを行う幅揃えツメ７４が設置されている。なお、ステープラ１４の上方には、割印機１５が設置されている。
【００２０】
続いて、用紙排出部７１の構成について説明する。
【００２１】
排出トレイ７２は、その一端が証明書排出口７へ向けて形成されており、該排出トレイ７２の下部には、排出ローラ７３が取り付けられている。また、排出トレイ７２の上方には、押さえトレイ７４が形成されており、該押さえトレイ７４には押さえローラ７５が取り付けられている。
【００２２】
続いて、図３を参照して、搬送路５５の凸部に重送センサ９０が取り付けられている構成について説明する。
【００２３】
重送センサ９０は、いわゆる反射形のセンサであり、赤外線を照射する発光部と、用紙から反射されてきた赤外線を受光する受光部とで構成されている。そして、該重送センサ９０は、搬送路５５の凸部の頂点に取り付けられており、該搬送路５５の凸部は、隣接する搬送ローラ５５ａ及び５５ｂを結ぶ直線９０から突出しているように形成されている。従って、該搬送路５５を通過する用紙１００は、常に凸部の底面に接触するようになり、測定時に重送センサ９０から用紙１００までの距離は常に一定に保たれる。ゆえに、用紙１００の通過位置が変動することにより、重送されているのでないにも関わらず誤って重送されていると判断されることがなくなる。
【００２４】
次に図４を参照して、証明書自動発行機１の電気的構成について説明する。
【００２５】
本実施例の証明書自動発行機１は、ホストコンピュータ３１と接続された、ＣＰＵ１３の指令によって動作する。このＣＰＵ１３は、上述したカードリーダ２と、ＣＲＴ表示装置３と、タッチパネル４と、コインメック５と、ビルバリ６と、呼び出しボタン２２と、レシートを印刷するためのジャーナルプリンタ１２と、操作方法等を音声にて説明するための発声装置１６と、ＣＰＵ１３を制御して証明書自動発行機１を所定のプロセス通りに動作させ、証明書を発行するための動作プログラムを格納するハードディスク１７と、証明書自動発行機１の稼働状況や呼び出しボタン２２が押されたこと等を保守担当員に知らせるためのリモート操作パネル３３と、レーザプリンタ１１と、レーザプリンタ１１で印刷された書類が複数枚である時にそれらの書類の端部を綴じるためのステープラ１４及びそれらの書類に割印を付すための割印機１５とが接続されている。
【００２６】
また、ＣＰＵ１３には、用紙搬送ユニット５１、用紙排出ユニット７１、重送センサ９０が接続されている。
【００２７】
次に、上記構成を有する証明書自動発行機１の動作について説明する。
【００２８】
証明書自動交付機１は、通常ＣＰＵ１３により該証明書自動交付機１を利用する人のために、例えば「画面にタッチして下さい」というモードの画面を静止画と一緒にＣＲＴ表示装置３に表示している（Ｓ１）。利用者は、この表示画面を見てタッチパネル４に触れることにより（Ｓ２：ＹＥＳ）、ＣＲＴ表示装置３にカード挿入画面が表示される（Ｓ３）。
【００２９】
そして、利用者がＩＤカードを証明書自動交付機１のカード挿入口２ａに挿入するのを検知すると（Ｓ４：ＹＥＳ）、ＣＰＵ１３が該ＩＤカードの挿入を検出し、カードリーダ２にデータの読み取りを指示する。カードリーダ２は、ＩＤカードに記録されているデータを読み取り、ＣＰＵ１３にデータを転送する。ＣＰＵ１３は、挿入されたＩＤカードが証明書自動交付機１用のカードであるかどうかを確認する（Ｓ５）。このカードが該証明書自動交付機１用のカードでなければ（Ｓ５：ＮＯ）、カード挿入口２ａからＩＤカードを排出し（Ｓ１０）、スタート画面に戻る（Ｓ１）。
【００３０】
一方、ＩＤカードが該証明書自動交付機１用のカードであれば（Ｓ５：ＹＥＳ）、ＣＰＵ１３は、暗証番号入力画面をＣＲＴ表示装置３に表示する。また、発声装置１６へも信号を送って、例えば、「暗証番号を入力してください」と発声させる（Ｓ６）。利用者はタッチパネル４を触れて暗証番号を入力するのを検知すると（Ｓ７：ＹＥＳ）。すると、ＣＰＵ１３は利用者が入力した暗証番号が、カードリーダ２に挿入されたＩＤカードの個人ＩＤデータと一致するかどうかを照合する（Ｓ８）。ＩＤカードの個人ＩＤデータと比較して、利用者により入力された暗証番号が正しくなければ（Ｓ９：ＮＯ）、その旨をＣＰＵ１３へ伝送し、カード挿入口２ａからＩＤカードを排出する（Ｓ１０）と共に、スタート画面に戻る（Ｓ１）。
【００３１】
また、利用者が入力した暗証番号が、ＩＤカードの個人ＩＤデータと一致すれば（Ｓ９：ＹＥＳ）、その旨をＣＰＵ１３に伝送する。次にＣＰＵ１３は、証明書選択画面をＣＲＴ表示装置３に表示させる（Ｓ１１）。
【００３２】
そして、利用者が希望の証明書を選択した旨を検出すると（Ｓ１１：ＹＥＳ）、次にＣＰＵ１３は、部数選択画面をＣＲＴ表示装置３に表示させる（Ｓ１２）。
【００３３】
そして、利用者が所望の部数を選択した旨を検出すると（Ｓ１３：ＹＥＳ）、次にＣＰＵ１３は、料金投入画面をＣＲＴ表示装置３に表示させる（Ｓ１４）。そして、利用者が所定の料金を投入した旨を検知すると（Ｓ１５：ＹＥＳ）、次にＣＰＵ１３は、ＩＤカードをカード挿入口２ａから排出させる（Ｓ１６）。続いて、ホストコンピュータ３１から受信した証明書作成に必要な個人データをレーザプリンタ１１に転送し、証明書を印字させる（Ｓ１７）。そして、該証明書を搬送路５５の中を搬送させる（Ｓ１８）。
【００３４】
その後、重送センサ９０が搬送路５５を通る証明書が重送されているか否かを検知する。この場合、前述したように、重送の検知箇所における搬送路５５が凸部になっているので、検知箇所を通る証明書は搬送路５５の底部と接触して安定する。従って重送センサ９０が検知するセンサと証明書との間の測定距離は常に一定であり、重送がされていないにも関わらず証明書の通過位置の変動に伴って重送と誤判断されることを防ぐことができる。
【００３５】
証明書が重送されたために重送センサ９０から検知信号を受信すると（Ｓ１９：ＹＥＳ）、分離シュート６０を切り換え（Ｓ２３）、証明書を重送路６１に送出させる（Ｓ２４）。そして、再びＳ１７からの証明書の作成動作を繰り返す。一方、印字された証明書が重送されなければ（Ｓ１９：ＮＯ）、該証明書を搬送路５５を通して中間トレイ５６に送り出し（Ｓ２０）、更に、送りローラ５８ａ及び５８ｂを回転させることにより、排出トレイ７２上に送り出させる（Ｓ２１）。そして、図示しない駆動モータによって押さえトレイ７４を下降させ、排出ローラ７３及び押さえローラ７５を回転させることにより、証明書を証明書排出口７まで排出させる（Ｓ２２）。その後、再びスタートに戻る。
【００３６】
以上、本実施例においては、証明書を発行する証明書自動発行機１について説明したが、それに限定されるわけではなく、書類を自動的に発行する装置であれば応用可能である。
【００３７】また、本実施例では重送センサ９０として反射形センサを使用したが、用紙の透過光量を検出する透過形のセンサを使用しても同様の効果が期待できる。
【００３８】
【発明の効果】
以上説明したことから明かなように、請求項１に記載の書類自動発行機は、重送検知手段が、前記搬送経路の湾曲部分の突出側に配置されているので、重送検知手段が搬送経路の湾曲部分を通る用紙に赤外線等を照射し、用紙から反射されてきた該赤外線等を検出し、用紙と重送検知手段との距離を測定することによって、重送の有無を判断することができる。この場合、前述したように、用紙が湾曲部分の底面を接触しながら通過するので、距離の測定の誤判断に基づく重送の誤判断を防止することができる。
【図面の簡単な説明】
【図１】  本実施例における証明書自動発行機の概略外観図である。
【図２】  本実施例の証明書自動発行機における用紙の搬送経路を示す断面図である。
【図３】  本実施例の証明書自動発行機における用紙の重送を検知する箇所を示す断面図である。
【図４】  本実施例の証明書自動発行機の電気的構成を示すブロック図である。
【図５】  本実施例における証明書自動発行機の動作を示すフローチャートである。
【図６】  本実施例における証明書自動発行機の動作を示すフローチャートである。
【符号の説明】
１３  ＣＰＵ
５５  搬送路
５５ａ  送りローラ
５５ｂ  送りローラ
６０  分離シュート
９０  重送センサ
【図１】
0003754749.tif 000002
【図２】
0003754749.tif 000003
【図３】
0003754749.tif 000004
【図４】
0003754749.tif 000005
【図５】
0003754749.tif 000006
【図６】
0003754749.tif 000007